(57)【特許請求の範囲】
【請求項１】
商品収納室から落下した商品を商品取出口へ案内するシュートを前記商品収納室の下方に傾斜して備え、前記商品収納室内に収納された前記商品が横倒し姿勢で前記シュートに落下送出される自動販売機において、前記シュートの前端面に固定部を備え、前記固定部を自動販売機本体に固定するもので、前記シュートの前端面の固定部周辺に開口部を設け、前記開口部は前記シュートの商品送出方向に平行なスリット形状としたことを特徴とする自動販売機。
【請求項２】
商品収納室から落下した商品を商品取出口へ案内するシュートを前記商品収納室の下方に傾斜して備え、前記商品収納室内に収納された前記商品が横倒し姿勢で前記シュートに落下送出される自動販売機において、前記シュートの前端面に固定部を備え、前記固定部を自動販売機本体に固定するもので、前記シュートの前端面の固定部周辺に開口部を設け、前記シュートの前端面の固定部を段付形状としたことを特徴とする自動販売機。
【請求項３】
商品収納室から落下した商品を商品取出口へ案内するシュートを前記商品収納室の下方に傾斜して備え、前記商品収納室内に収納された前記商品が横倒し姿勢で前記シュートに落下送出される自動販売機において、前記シュートの前端面に固定部を備え、前記固定部を自動販売機本体に固定するもので、前記シュートの前端面の固定部周辺に開口部を設け、前記シュートの前端面の固定部は自動販売機本体に対してクリアランスを有して固定したことを特徴とする自動販売機。
【発明の詳細な説明】
【技術分野】
【０００１】
本発明は、商品払出装置を備えた商品収納室から搬出された商品をシュートを介して取出口に送出する自動販売機に関するものである。
【背景技術】
【０００２】
従来、この種の自動販売機は、商品収納部から搬出される商品をシュート上を滑走または転動させ取出口まで誘導するために、シュート上に構成した商品誘導部材により取出口に誘導させている（たとえば、特許文献１参照）。
【０００３】
図１０は特許文献１に記載された従来の自動販売機を示すものである。図１０に示す様に、自動販売機１の図示しない内側天井部に吊り下げられ横方向に複数並ぶ商品収納室２と自動販売機１前面下部に設けられた図示しない取出口との間に、断熱を目的として構成された開閉自在の内扉３と、商品収納室２と取出口との間に商品収納室２より搬出された商品４が滑降または転動するように傾斜して配されたシュート５を備えている。内扉３には商品４が通過可能な大きさの開口部６が設けられており、商品収納室２から商品４が搬出された際に、シュート５上を転動または滑降する商品４を開口部６へ寄せ集めるために、複数の傾斜面からなる商品誘導部材７が設けられている。
【０００４】
以上のように構成された自動販売機について、以下その動作を説明する。
【０００５】
商品収納部２より搬出された商品はシュート５上に落下し、取出口の方向へ傾斜したシュート５上を転動または滑降しながら移動する。その際、商品はシュート５上に構成された商品誘導部材７によって横方向に誘導され、内扉３の開口部６に寄せ集められて取出口まで搬出される。
【先行技術文献】
【特許文献】
【０００６】
【特許文献１】特開２００４−１３５３８号公報
【発明の概要】
【発明が解決しようとする課題】
【０００７】
しかしながら、上記従来の自動販売機では、シュート５における商品落下後の商品跳ね上がりによる不具合が発生する点に関しては具体的な開示がなく、一般的には自動販売機本体にビス等で前端を固定するが、その場合、シュート５のたわみにより商品が跳ね上がり、安定した転動または滑降が損なわれる課題を有している。また、シュート５のたわみを抑制するために、シュート５の挙動をダンパー部材で抑制する構造も考えられるが、部品点数の増加や構成の複雑化によりコストが高くなってしまうという課題を有している。
【０００８】
本発明は上記従来の課題を解決するものであり、商品落下後の商品跳ね上がりによる不具合を抑制するために、簡素な構造でシュートのたわみに起因する商品跳ね上げを抑制し、低コストで安定した品質を確保できる自動販売機を提供することを目的とする。
【課題を解決するための手段】
【０００９】
上記従来の課題を解決するために、本発明の自動販売機は、商品収納室から落下した商品を商品取出口へ案内するシュートを商品収納室の下方に傾斜して備え、商品収納室内に収納された商品が横倒し姿勢でシュートに落下送出される自動販売機において、シュートの前端面に固定部を備え、固定部を自動販売機本体に固定するもので、シュートの前端面
の固定部周辺に開口部を設けたものであり、さらに、前記開口部は前記シュートの商品送出方向に平行なスリット形状とした、または、シュートの前端面の固定部を段付形状とした、または前記シュートの前端面の固定部は自動販売機本体に対してクリアランスを有して固定したのである。
【００１０】
これによって、商品落下後のシュートへの衝撃荷重は、シュートの前端面の固定部周辺に設けた開口部により分散され、シュート部品構成を１部品化することができ、コスト削減と、構成の簡素化による組立性を向上した上で、商品跳ね上がりによる不具合を抑制することができる。
【発明の効果】
【００１１】
本発明の自動販売機は、コスト削減した上で、商品払出時のシュート上での商品誘導性を向上することができるため、自動販売機の搬出時の品質を向上することができる。
【図面の簡単な説明】
【００１２】
【図１】本発明の実施の形態における自動販売機の側面図
【図２】実施の形態１の自動販売機の要部斜視図
【図３】実施の形態１の自動販売機の動作説明図
【図４】実施の形態１の自動販売機の動作説明図
【図５】実施の形態１の自動販売機の要部斜視図
【図６】実施の形態１の自動販売機の動作説明図
【図７】実施の形態１の自動販売機の動作説明図
【図８】実施の形態２の自動販売機の要部斜視図
【図９】実施の形態２の自動販売機の動作説明図
【図１０】従来の自動販売機の要部斜視図
【発明を実施するための形態】
【００１３】
請求項１に記載の発明は、商品収納室から落下した商品を商品取出口へ案内するシュートを前記商品収納室の下方に傾斜して備え、前記商品収納室内に収納された前記商品が横倒し姿勢で前記シュートに落下送出される自動販売機において、前記シュートの前端面に固定部を備え、前記固定部を自動販売機本体に固定するもので、前記シュートの前端面の固定部周辺に開口部を設け、前記開口部は前記シュートの商品送出方向に平行なスリット形状としたものであり、商品落下時のシュートへの衝撃荷重を、シュートの前端面の固定部周辺に設けた商品送出方向に平行なスリット形状の開口部により、より効率的に分散して、商品跳ね上がりによる不具合を確実に抑制することで、コスト削減した上で、商品払出時のシュート上での商品誘導性を向上することができるため、自動販売機の搬出時の品質を向上することができる。
【００１７】
請求項２に記載の発明は、商品収納室から落下した商品を商品取出口へ案内するシュートを前記商品収納室の下方に傾斜して備え、前記商品収納室内に収納された前記商品が横倒し姿勢で前記シュートに落下送出される自動販売機において、前記シュートの前端面に固定部を備え、前記固定部を自動販売機本体に固定するもので、前記シュートの前端面の固定部周辺に開口部を設け、前記シュートの前端面の固定部を段付形状としたものであり、商品落下時のシュートへの衝撃荷重は、シュートの前端面の固定部周辺に設けた開口部に加えて、シュートの前端面の固定部を段付形状として商品落下時のシュートの変形自由度を高めたことにより、効率的に分散され、商品跳ね上がりによる不具合を確実に抑制することで、コスト削減した上で、商品払出時のシュート上での商品誘導性を向上することができるため、自動販売機の搬出時の品質を向上することができる。
【００１８】
請求項３に記載の発明は、商品収納室から落下した商品を商品取出口へ案内するシュートを前記商品収納室の下方に傾斜して備え、前記商品収納室内に収納された前記商品が横倒し姿勢で前記シュートに落下送出される自動販売機において、前記シュートの前端面に固定部を備え、前記固定部を自動販売機本体に固定するもので、前記シュートの前端面の固定部周辺に開口部を設け、前記シュートの前端面の固定部は自動販売機本体に対してクリアランスを有して固定したものであり、商品落下時のシュートへの衝撃荷重は、シュートの前端面の固定部周辺に設けた開口部に加えて、前記シュートの前端面の固定部は自動販売機本体に対してクリアランスを有して固定したことにより商品落下時のシュートの変形自由度がさらに高まり、効率的な荷重分散により商品跳ね上がりによる不具合を確実に抑制することで、コスト削減した上で、商品払出時のシュート上での商品誘導性を向上することができるため、自動販売機の搬出時の品質を向上することができる。
【００１９】
以下、本発明の実施の形態について、図面を参照しながら説明する。なお、この実施の形態によってこの発明が限定されるものではない。
【００２０】
（実施の形態１）
図１は、本発明の実施の形態１における自動販売機の側面図である。
【００２１】
図１で本発明の自動販売機１０１は自動販売機本体１０２とその前面を開閉する外扉１０３を備えている。外扉１０３と自動販売機本体１０２の間には内扉１０４が配置され、自動販売機本体１０２の前面は開閉自在に構成されている。自動販売機本体１０２内には缶商品などを収納する複数の商品収納部１０５を形成し、商品は上下に積み重ねて収納されている。商品収納部１０５の下部には、選択された商品を搬出する商品払出装置１０６が商品収納部１０５ごとに配置されている。
【００２２】
商品払出装置１０６の下方には、搬出された商品を外扉１０３に構成した取出口１０７へ排出するシュート１０８が傾斜配置して形成されている。また内扉１０４の下部には搬出扉１０９があり、取出口１０７とシュート１０８の間に構成され、販売待機時は搬出扉１０９によって、この間が仕切られている状態となっている。
【００２３】
シュート１０８の下部には、冷却システムを構成する蒸発器１１０や加温装置（図示しない）が配置され、各室へは庫内ファン１１１によって収納室内を所定温度に冷却または加温する。
【００２４】
また自動販売機本体１０２の下部には断熱板１１２で区画された機械室１１３が形成されており、機械室１１３の前方側には冷却システムの凝縮器１１４を配置し、その後方に凝縮器ファン１１５が備えられ、凝縮器ファン１１５によって自動販売機１０１の前方から空気を吸い込み凝縮器１１４を通過して風下側にある蒸発皿（図示しない）や圧縮機１１６に導かれる構成となっている。
【００２５】
図２は本発明の実施の形態１におけるシュートの斜視図である。
【００２６】
シュート１０８の構成は、１部品から一体に形成されており、具体的には、シュート１０８の傾斜面１１７は、比較的なだらかな傾斜で形成された第１傾斜面１１７ａと第１傾斜面１１７ａよりもやや大きな傾斜を有する第２傾斜面１１７ｂと第２傾斜面よりもさらに大きな傾斜を有する第３傾斜面１１７ｃからなり、第３傾斜面１１７ｃには複数の面からなる商品誘導部１１８がシュート１０８のそれぞれ左右端（またはどちらか一方）に構成されている。
【００２７】
シュート１０８の第３傾斜面１１７ｃ左側には、第３傾斜面１１７ｃからおおむね鉛直方向でかつ奥方向から前方の搬出扉１０９に向かって、第３傾斜面１１７ｃの幅寸法を徐々に狭めるように形成された第１誘導部１１８ａと、第１誘導部１１８ａの上端面から外方へ向かって傾斜した第２誘導部１１８ｂが形成されている。また、第１誘導部１１８ａと第２誘導部１１８ｂの境界は比較的大きな半径（おおむねＲ２０程度）を有する形状で
構成されている。
【００２８】
シュート１０８の第３傾斜面１１７ｃ右側には、第３傾斜面１１７ｃから外方へ向かって傾斜しかつ奥方向から前方の搬出扉１０９に向かって形成された第３誘導部１１８ｃが、第１誘導部１１８ａおよび第２誘導部１１８ｂと幅方向で対峙するように構成されている。
【００２９】
また、商品の落下距離が比較的大きな前側通路（前から２通路程度）より商品を搬出した際に、少なくとも落下商品の一部が、先に商品誘導部１１８に当接するように、商品誘導部１１８の位置を設定している。
【００３０】
また、シュート１０８の第３傾斜面１１７ｃ前端には第３傾斜面１１７ｃよりもさらに傾斜の大きな第４傾斜面１１７ｄが形成されており、第４傾斜面１１７ｄの前端から下方かつ奥方向に延在された第１固定部１１９ａと、第１固定部１１９ａ下端から下方（鉛直方向）に延在された第２固定部１１９ｂからなる固定部１１９が構成されている。
【００３１】
第２固定部１１９ｂ下方中央付近には、第２固定部１１９ｂよりもやや前方に突出した突出面１２０と突出面１２０に固定穴１２１を有した段付形状としている。
【００３２】
また、第２固定部１１９ｂの突出面１２０の近傍周辺には、開口部としての複数のスリット１２２を有し、複数のスリット１２２は、第２固定部１１９ｂの下端辺から下方に開放した状態で形成されている。そして、複数のスリット１２２は、固定穴１２１を挟んで左右に形成し、スリット１２２はシュート１０８の商品送出方向に平行で、第２固定部１１９ｂから第１構成部１１９ａに跨って構成している。
【００３３】
また、自動販売機１０１庫内下方前側に垂直方向に直延しかつ左右に延在して構成された取付部材１２３には各庫内毎にシュート１０８を取り付けるための穴１２４が形成されており、この取付用の穴１２４とシュート１０８の前側に形成された穴１２１に合わせてビス１２５にて取り付けされている。自動販売機１０１庫内奥側にはシュート１０８の奥側が取り付けられており（詳細は図示しない）、シュート１０８は前側と奥側で両端支持された状態で自動販売機１０１の庫内に取り付けられている。
【００３４】
以上のように構成された自動販売機について、以下その動作、作用を説明する。
【００３５】
商品１２６購入時に任意の商品払出装置１０６作動により、商品１２６は商品収納部１０５の下積みの方から１個だけ搬出される。この時商品１２６はシュート１０８に接触するまで自由落下し、それ以降は、商品１２６はシュート１０８の傾斜面１１７上を滑降または転動し、途中商品誘導部材１１８による方向規制を受けつつ取出口１０７の方に誘導される。この、商品１２６がシュート１０８上を滑降または転動して取出口１０７まで誘導される過程について以下説明する。
【００３６】
図３は商品１２６が商品払出装置１０６作動により搬出された場合の動作を示すものである。商品１２６が商品払出装置１０６作動により搬出されると商品１２６は自由落下にてシュート１０８上に落下する。その際にシュート１０８には商品１２６の落下衝撃が加わるが、シュート１０８はその前側と奥側をそれぞれ自動販売機庫内の取付部に固定された両端支持の取り付け構造であるため、商品１２６の落下地点に対したわみ（Ａ）を生じる。このたわみは瞬時に復元するが、この復元の際に落下商品を跳ね上げるという問題が従来よりあった。商品が跳ね上げられることにより、商品の搬出挙動が悪化し、時にはシュート１０８上に立直する等による商品詰まりを生じる。しかしながら、本実施の形態においては、第２固定部１１９ｂの突出面１２０の近傍周辺には、開口部としての複数のス
リット１２２を有しているので、固定部への衝撃の伝達を複数のスリット１２２により分散し、衝撃伝達を吸収、緩和することができるため、商品１２６の跳ね返しを緩和することができる。したがって、コスト削減した上で、商品払出時のシュート上での商品誘導性を向上することができるため、自動販売機の搬出時の品質を向上することができる。
【００３７】
また、複数のスリット１２２は、第２固定部１１９ｂの下端辺から下方に開放した状態で形成されているので、より効率的に衝撃が吸収され、伝達を分散することができ、商品跳ね上がりによる不具合を確実に抑制することができる。
【００３８】
また、スリット１２２はシュート１０８の商品送出方向に平行で、第２固定部１１９ｂから第１構成部１１９ａに跨って構成しているので、さらに効率的に衝撃が吸収され、伝達を分散することができ、商品跳ね上がりによる不具合を確実に抑制することができる。
【００３９】
また、複数のスリット１２２は、固定穴１２１を挟んで左右に形成しているので、バランスよく衝撃が吸収され、伝達を分散することができ、商品跳ね上がりによる不具合を確実に抑制することができる。
【００４０】
また、図４は、シュート１０８の第２固定部１１９ｂ近傍を示すものである。第２固定部１１９ｂ下方中央付近には、第２固定部１１９ｂよりもやや前方に突出した突出面１２０と突出面１２０に固定穴１２１を有した段付形状とし、また、自動販売機１０１庫内下方前側に左右に延在して構成された取付部材１２３には各庫内毎にシュート１０８取付用の穴１２４が形成されており、シュート１０８の前側はこの取付用の穴１２４に合わせてビス１２５により取り付けされていることにより、第２構成部１１９ｂは取付部材１２３に対して段付形状分のスペース（Ｂ）を有する構成となっていることから、商品の落下衝撃によりシュートがたわみで変形する際に変形量Ｂ´（Ｂ＞Ｂ´）においては取付部材１２３に干渉することが無く変形できることから、商品落下時のシュートの変形自由度が高まり、効率的な荷重分散により商品跳ね上がりによる不具合を確実に抑制することができる。
【００４１】
これらから、商品払出装置１０６作動により搬出された商品は、シュート１０８による商品の跳ね上げを抑制することができるため、詰まり等なく安定した商品の送出ができる。
【００４２】
図５は商品が奥側の通路から搬出された場合の商品の挙動を示すものである。シュート１０８の第３傾斜面１１７ｃ左側には、第３傾斜面１１７ｃからおおむね垂直方向に直延しかつ奥方向から前方の搬出扉１０９に向かって形成された第１誘導部１１８ａと第１誘導部１１８ａの上端から外方へ向かって傾斜した第２誘導部１１８ｂが形成されている。また、第１誘導部１１８ａと第２誘導部１１８ｂの境界は比較的大きな半径（おおむねＲ２０程度）を有する形状で構成されている。
【００４３】
商品が奥側の通路から搬出される際に、転動して前側に送出され、かつ商品誘導部１１８により取出口１０７へ誘導される。その際に、もし第１誘導部が無い、あるいは傾斜したものである場合は第２誘導面に商品が乗り上げることにより、商品姿勢が傾き、なおかつ搬出扉に衝突した際の跳ね返しが加わることにより、商品がシュート上で立直する等による商品詰まりのリスクがある。しかしながら、本発明では、第１誘導部１１８ａは第２傾斜面１１７ｂからおおむね垂直方向に鉛直面（おおむね商品胴径の半分程度）を有しているため、商品が第２誘導部１１８ｂの上に乗り上げることなく第１誘導面による商品誘導ができる。すなわち、奥側の通路から搬出された商品を安定して取出口まで誘導することができる。
【００４４】
また、図６および図７は前側通路より商品を搬出した動作を示す図である。商品の落下距離が比較的大きな前側通路（前から２通路程度）より商品を搬出した際に、少なくとも落下商品の一部が、先に商品誘導部１１８に当接するように、商品誘導部１１８の位置を設定しているので、落下距離が大きな通路からの商品搬出においても、落下衝撃を２段階に分散することができるとともに、鉛直方向の衝撃力をシュート１０８の商品誘導部１１８により横方向に変換することでシュートへの衝撃を分散することができるため、シュートのたわみによる商品跳ね上げを抑制することができる。
【００４５】
また、シュート１０８の傾斜面は、比較的なだらかな傾斜で形成された第１傾斜面１１７ａと第１傾斜面１１７ａよりもやや大きな傾斜を有する第２傾斜面１１７ｂと第２傾斜面よりもさらに大きな傾斜を有する第３傾斜面１１７ｃという複数の傾斜面を形成しているので、シュート１０８の下方に配置される冷却、加熱用機能部品、送風機等を収納するスペースを広くすることになり、シュート１０８の下方のスペースの有効利用が可能となる。また、シュート１０８を上記複数の傾斜面とすることで、奥側から前方への商品の搬出をスムーズに行うことができる。
【００４６】
また、シュート１０８は商品誘導部１１８を含めて一体に形成しているので、構造バラツキを抑え、低コスト化を図ることができる。
【００４７】
（実施の形態２）
図８は本発明の実施の形態２におけるシュートの斜視図である。なお、実施の形態１と同一構成については、詳細な説明を省略し、異なる部分のみ説明する。
【００４８】
図８において、シュート１０８の構成は、１部品から一体に形成されており、具体的には、シュート１０８の傾斜面１１７は、比較的なだらかな傾斜で形成された第１傾斜面１１７ａと第１傾斜面１１７ａよりもやや大きな傾斜を有する第２傾斜面１１７ｂと第２傾斜面よりもさらに大きな傾斜を有する第３傾斜面１１７ｃからなり、第３傾斜面１１７ｃには複数の面からなる商品誘導部１１８がシュート１０８のそれぞれ左右端（またはどちらか一方）に構成されている。
【００４９】
シュート１０８の第３傾斜面１１７ｃ左側には、第３傾斜面１１７ｃからおおむね鉛直方向でかつ奥方向から前方の搬出扉１０９に向かって、第３傾斜面１１７ｃの幅寸法を徐々に狭めるように形成された第１誘導部１１８ａと、第１誘導部１１８ａの上端面から外方へ向かって傾斜した第２誘導部１１８ｂが形成されている。また、第１誘導部１１８ａと第２誘導部１１８ｂの境界は比較的大きな半径（おおむねＲ２０程度）を有する形状で構成されている。
【００５０】
シュート１０８の第３傾斜面１１７ｃ右側には、第３傾斜面１１７ｃから外方へ向かって傾斜しかつ奥方向から前方の搬出扉１０９に向かって形成された第３誘導部１１８ｃが、第１誘導部１１８ａおよび第２誘導部１１８ｂと幅方向で対峙するように構成されている。
【００５１】
また、商品の落下距離が比較的大きな前側通路（前から２通路程度）より商品を搬出した際に、少なくとも落下商品の一部が、先に商品誘導部１１８に当接するように、商品誘導部１１８の位置を設定している。
【００５２】
シュート１０８の第３傾斜面１１７ｃ前端には第３傾斜面１１７ｃよりもさらに傾斜の大きな第４傾斜面１１７ｄが形成されており、第４傾斜面１１７ｄの前端から下方かつ奥方向に延在された第１固定部１１９ａと、第１構成部１１９ａ下端から下方（鉛直方向）に延在された第２固定部１１９ｂからなる固定部１１９が構成されている。第２固定部１
１９ｂ下方中央付近には、固定穴１２１を有している。
【００５３】
また、第２固定部１１９ｂの突出面１２０の近傍周辺には、開口部としての複数のスリット１２２を有し、複数のスリット１２２は、第２固定部１１９ｂの下端辺から下方に開放した状態で形成されている。そして、複数のスリット１２２は、固定穴１２１を挟んで左右に形成し、スリット１２２はシュート１０８の商品送出方向に平行で、第２固定部１１９ｂから第１構成部１１９ａに跨って構成している。
【００５４】
また、自動販売機１０１庫内下方前側に左右に延在して構成された取付部材１２３には各庫内毎にシュート１０８取付用の穴１２４が形成されており、シュート１０８の前側はこの取付用の穴１２４に合わせてカラー付ビス１２７により取り付けされているが、穴１２４はカラー付ビス１２７のカラー部１２７ａの径よりも大きな径を有しており、カラー部１２７ａが挿通保持されておりカラー部１２７ａの長さ寸法の範囲でおおむね２〜３ｍｍ程度のスライドが可能となっている。すなわち、シュート１０８の前側固定部は、取付部材１２３に対し、前後方向にスライドが可能な構成とし、シュートの前端面の固定部は自動販売機本体に対してクリアランスを有して固定したものである。そして、自動販売機１０１庫内奥側にはシュート１０８の奥側が取り付けられており（詳細は図示しない）、シュート１０８は前側と奥側で両端支持された状態で自動販売機１０１の庫内に取り付けられている。
【００５５】
図９は、シュート１０８の第２固定部１１９ｂ近傍を示すものである。第２固定部１１９ｂ下方中央付近には固定穴１２１を有しており、また、自動販売機１０１庫内下方前側に左右に延在して構成された取付部材１２３には各庫内毎にシュート１０８取付用の穴１２４が形成されており、穴１２４はカラー付ビス１２７のカラー部１２７ａの径よりも大きな径を有しており、カラー部１２７ａが挿通保持されておりカラー部１２７ａの長さ寸法の範囲（Ｂ）（おおむね２〜３ｍｍ程度）のスライドが可能となっている。すなわち、シュートの前側固定部は、取付部材１２３に対し、前後方向にスライドが可能な構成となっている。このことから、商品の落下衝撃によりシュートがたわみで変形する際に変形量Ｂ´（Ｂ＞Ｂ´）においては取付部材１２３に干渉することが無く変形できることから、衝撃を分散することができる。
【００５６】
以上のように構成された自動販売機について、以下その動作、作用を説明する。
【００５７】
商品１２６購入時に任意の商品払出装置１０６作動により、商品１２６は商品収納部１０５の下積みの方から１個だけ搬出される。この時商品１２６はシュート１０８に接触するまで自由落下し、それ以降は、商品１２６はシュート１０８の傾斜面１１７上を滑降または転動し、途中商品誘導部材１１８による方向規制を受けつつ取出口１０７の方に誘導される。この、商品１２６がシュート１０８上を滑降または転動して取出口１０７まで誘導される過程について以下説明する。
【００５８】
商品１２６が商品払出装置１０６作動により搬出されると商品１２６は自由落下にてシュート１０８上に落下する。その際にシュート１０８には商品１２６の落下衝撃が加わるが、シュート１０８はその前側と奥側をそれぞれ自動販売機庫内の取付部に固定された両端支持の取り付け構造であるため、商品１２６の落下地点に対したわみ（Ａ）を生じる。このたわみは瞬時に復元するが、この復元の際に落下商品を跳ね上げるという問題が従来よりあった。商品が跳ね上げられることにより、商品の搬出挙動が悪化し、時にはシュート１０８上に立直する等による商品詰まりを生じる。しかしながら、本実施の形態においては、シュート１０８の前側固定部は、取付部材１２３に対し、前後方向にスライドが可能な構成とし、シュートの前端面の固定部は自動販売機本体に対してクリアランスを有して固定している。すなわち、商品の落下衝撃によりシュートがたわみで変形する際に変形
量Ｂ´（Ｂ＞Ｂ´）においては取付部材１２３に干渉することが無く変形できることから、衝撃を分散することができ、商品払出装置１０６作動により搬出された商品は、シュート１０８による商品の跳ね上げを抑制することができるため、詰まり等なく安定した商品の送出ができる。
【００５９】
なお、本実施の形態では固定部のクリアランスを前後方向にスライドが可能な構成としたもので説明したが、カラー付ビス１２７の内径に対し、取付部材１２３の穴１２４の径を充分に大きく設定して、上下方向のスライドも可能としてもよい。この場合、前後方向のスライドと上下方向のスライドにより、衝撃をさらに効率よく分散することができ、詰まり等なく安定した商品の送出ができる。
【産業上の利用可能性】
【００６０】
以上のように、本発明にかかる自動販売機は、商品払出時のシュート上での商品誘導性を向上することができるので、シュートを備えたあらゆる自動販売機器の用途に適用できる。
【符号の説明】
【００６１】
１０１  自動販売機
１０５  商品収納部
１０６  商品払出装置
１０７  取出口
１０８  シュート
１１７  （シュートの）傾斜面
１１７ａ  （シュートの）第１傾斜面
１１７ｂ  （シュートの）第２傾斜面
１１７ｃ  （シュートの）第３傾斜面
１１７ｄ  （シュートの）第４傾斜面
１１８    商品誘導部
１１８ａ  第１誘導部
１１８ｂ  第２誘導部
１１８ｃ  第３誘導部
１１９  固定部
１１９ａ  第１固定部
１１９ｂ  第２固定部
１２０  突出面
１２１  固定穴
１２２  スリット
１２３  取付部材
１２４  穴
１２５  ビス
１２６  商品
１２７  カラー付ビス
【図１】
0005476927.tif 000002
【図２】
0005476927.tif 000003
【図３】
0005476927.tif 000004
【図４】
0005476927.tif 000005
【図５】
0005476927.tif 000006
【図６】
0005476927.tif 000007
【図７】
0005476927.tif 000008
【図８】
0005476927.tif 000009
【図９】
0005476927.tif 000010
【図１０】
0005476927.tif 000011